(57)【特許請求の範囲】
【請求項１】
浴槽の側壁部の取付孔に取付け固定される浴槽用通水装置であって、表側に通水口を開口した本体ボデーと、浴槽の外側に配置される挟持部材と、本体ボデーと挟持部材とを連結する止付け用ボルトと、通水口に連通して本体ボデーの裏側へ突設する管状の配管用接続部とを備え、前記挟持部材は、本体ボデーに止付け用ボルトで連結された状態で浴槽の内側から取付孔を潜り抜けることが可能であり、挟持部材に螺合させた止付け用ボルトを浴槽の内側からねじ込むことにより本体ボデーと挟持部材とが取付孔の周縁部を挟持して浴槽の側壁部に固定され、前記配管用接続部は、曲り形状をなしていると共に前記本体ボデーに回転可能に連結されることを特徴とする浴槽用通水装置。
【請求項２】
前記配管用接続部は、本体ボデーの後方へ延出する直管部と、直管部に対し曲り形状をなす曲り部とを有し、本体ボデーに対し直管部の軸心を中心に回転可能に連結されている請求項１に記載の浴槽用通水装置。
【請求項３】
前記配管用接続部は、フランジ部と真っ直ぐな管部とからなり、フランジ部と管部とがそれぞれの中心線を適宜角度で交叉させるように接合されて両者の接合部で曲り形状をなし、本体ボデーに対しフランジ部の軸心を中心に回転可能に連結されている請求項１に記載の浴槽用通水装置。
【請求項４】
前記本体ボデーは前記通水口として吐出口及び吸引口を備え、吐出口に連通する配管用接続部及び吸引口に連通する配管用接続部とが設けられ、各配管用接続部の何れも回転可能である請求項１〜３の何れかに記載の浴槽用通水装置。
【請求項５】
前記配管用接続部は、前記本体ボデーの嵌合孔にＯリングを介して回転可能に嵌合していると共に、前記本体ボデーへ着脱自在に取着した抜止具で抜け止めされる請求項１〜４の何れかに記載の浴槽用通水装置。
【発明の詳細な説明】
【０００１】
【発明の属する技術分野】
この発明は、浴水の循環用の吸引口若しくは吐出口、或いは吸引口及び吐出口を形成する浴槽用通水装置に関する。
【０００２】
【従来の技術】
従来、浴水の追だきのために浴槽に浴水循環用の吸引口又は吐出口を備えた浴槽用通水装置を取付けることが行われている。この浴槽用通水装置として、吸引口と吐出口とをともに一体に備えた浴槽用通水装置が公知である。
【０００３】
図１５及び図１６はこの種浴槽用通水装置の従来の一例を示している。同図において２００は浴槽の側壁部で、２０２はその内側に位置するフロントボデー、２０４は側壁部２００の外面に位置するリヤボデーであって、それらフロントボデー２０２とリヤボデー２０４とにより浴槽用通水装置の本体ボデーが構成されている。
【０００４】
フロントボデー２０２は第一部材２０６と第二部材２０８とを組み付けて成っている。第一部材２０６は浴水の吸引口２１０と吐出口２１２及びこれらに連通する導管部２１４，２１６を有しており、更に後方向きに小径の円筒部（内筒部２１８）が形成されている。一方第二部材２０８は、内筒部２１８よりも大径の外筒部２２０を有しており、その外周面には雄ねじが形成されている。
【０００５】
このフロントボデー２０２においては、内筒部２１８と外筒部２２０との間に環状の通路が形成され、そしてその環状通路に連通する状態で上記吸引口２１０及び導管部２１４が設けられている。また内筒部２１８に連通する状態で上記吐出口２１２及び導管部２１６が形成されている。
【０００６】
他方上記リヤボデー２０４は、内筒部２２６と外筒部２２４との二重筒構造をなしており、その内筒部２２６がフロントボデー２０２の内筒部２１８に、また内筒部２２６と外筒部２２４との間の環状通路がフロントボデー２０２における内筒部２１８と外筒部２２０との間の循環通路に連通する状態でフロントボデー２０２に組み付けられている。
【０００７】
詳しくは、浴槽の側壁部２００の取付孔２２８においてリヤボデー２０４とフロントボデー２０２とが、パッキン２３０を介して側壁部２００を内外両側から挟み付ける状態に締結され、以って側壁部２００に取付け固定されている。
【０００８】
具体的には、フロントボデー２０２とリヤボデー２０４とは、第二部材２０８の外筒部２２０外周面に形成された雄ねじと、リヤボデー２０４の外筒部２２４内周面に形成された雌ねじとのねじ結合によって側壁部２００に取付け固定されている。なお、２３２はフロントボデー２０２を覆うように設けられたカバー部材である。
【０００９】
リヤボデー２０４には、銅管から成る一対の配管２３４，２３６がろう付けにて一体に固定されている。一方の配管２３４は、内筒部２２６内部に連通する状態で連結固定されており、また他方の配管２３６は内筒部２２６と外筒部２２４との間の循環通路に連通する状態で連結固定されている。
【００１０】
この浴槽用通水装置の場合、浴槽内部の浴水は吸引口２１０，導管部２１４を通じて吸い込まれ、更にフロントボデー２０２における内筒部２１８と外筒部２２０の間の環状通路、更にはリヤボデー２０４の内筒部２２６と外筒部２２４との間の環状通路を経て配管２３６から外部の配管へと流出し、外部循環させられる。そして外部循環して戻って来た浴水が配管２３４からリヤボデー２０４の内筒部２２６及びフロントボデー２０２の内筒部２１８を経て導管部２１６に流出し、更に吐出口２１２から浴槽内部に吐出される。
【００１１】
この浴槽用通水装置を一人で施工できるようにするための、取付作業用治具が開発されている。この治具２３８は、図１７に示す如く、リヤボデー２０４の開口中心部に着脱自在に螺合できると共に、浴槽の取付孔２２８に引っ掛けることができる掛け部２４０を備えている。この治具２３８を用いた施工は、次のように行われる。作業者は、躯体２４２の外側で、リヤボデー２０４に治具２３８を螺着し、躯体２４２の外側から躯体開口部２４４へ治具２３８と共にリヤボデー２０４を挿入し、浴槽の開口部２２８に治具２３８の掛け部２４０を引っ掛ける。次に、作業者は、浴槽の内側Ａに移動し、治具２３８を内側Ａに引っ張り出し、リヤボデー２０４にフロントボデー２０２の第二部材２０８を螺着し、最後に治具２３８を取外してフロントボデー２０２の第一部材２０６と第二部材２０８とを組み付けて取付けを完了する。漏水防止用のリング状のシール部材２４６は、フロントボデー２０２の第二部材２０８を回転させながら螺着するために、リヤボデー２０４の鍔部２４８と浴槽の側壁部２００の裏面とに挟持されるように設けられる。
【００１２】
【発明が解決しようとする課題】
しかしながら、フロントボデー２０２とリヤボデー２０４とから成る浴槽用通水装置の場合、配管２３４，２３６が本体ボデーに対してろう付けにて一体に固定されているため、それらに接続すべき延長配管の位置や方向の如何によって対応が難しいといった問題があった。
【００１３】
また、図１７に示す治具２３８を用いた従来の施工方法では、躯体２４２の外側と浴槽の内側Ａとで作業するため、躯体２４２の外側と浴槽の内側Ａとを行き来する必要があり、手間がかかり、また、治具２３８がないときに施工が不可能であった。更に、従来の施工方法では、リヤボデー２０４の鍔部２４８と浴槽の裏面との間に漏水防止用のシール部材２４６を挟着するため、浴槽の裏面が凹凸面である場合には、充分なシールを確保することができないことから、適用できない問題があった。
【００１４】
浴槽用通水装置として、吸引口２１０と吐出口２１２とを一体に有する浴水追だき用のものを例として説明したが、吸引口のみを有する浴槽用通水装置や吐出口のみを有する浴槽用通水装置に対して、或いは浴水追だき用以外の用途の浴槽用通水装置（例えば、ジエット噴射浴槽における浴水吸引のための通水装置或いは浴水吐出のための通水装置）においても同様の問題が生じ得る。
【００１５】
そこで、本発明は、上記問題を解決することができる、浴槽用通水装置の提供を目的とする。
【００１６】
【課題を解決するための手段】
浴槽用通水装置の施工を一人の作業者で浴槽内側から容易に行えるようにすると共に、接続すべき延長用配管の位置や方向の如何に拘わらず容易に対応することができるようにするために請求項１記載の本発明が採用した手段は、浴槽の側壁部の取付孔に取付け固定される浴槽用通水装置であって、表側（浴槽内側に面する側）に通水口を開口した本体ボデーと、浴槽の外側に配置される挟持部材と、本体ボデーと挟持部材とを連結する止付け用ボルトと、通水口に連通して本体ボデーの裏側（浴槽外側に面する側）へ突設する管状の配管用接続部とを備え、前記挟持部材は、本体ボデーに止付け用ボルトで連結された状態で浴槽の内側から取付孔を潜り抜けることが可能であり、挟持部材に螺合させた止付け用ボルトを浴槽の内側からねじ込むことにより本体ボデーと挟持部材とが取付孔の周縁部を挟持して浴槽の側壁部に固定され、前記配管用接続部は、曲り形状をなしていると共に前記本体ボデーに回転可能に連結されることを特徴とする浴槽用通水装置である。
本発明にあっては、浴槽用通水装置の施工を一人の作業者で浴槽内側から容易に行うことができ、施工時間を短縮できる。配管用接続部を曲り形状となし、これを本体ボデーに対し回転可能に連結したものであるため、配管用接続部に対して接続される延長用配管の位置や向きの如何に拘わらず、配管用接続部の回転により容易にこれに対応することができる。更に、本発明にあっては、本体ボデーの裏側へ管状の配管用接続部を突設したものであるため、浴槽の内面と本体ボデーとの間でシールするだけて漏水を阻止でき、浴槽の裏面が凹凸面である場合にも対応できる。
【００１７】
配管用接続部の浴槽の取付孔への挿通作業を容易にするため、及び、延長用配管のいろいろな延設方向に対処できるようにするために請求項２記載の本発明が採用した手段は、前記配管用接続部は、本体ボデーの後方へ延出する直管部と、直管部に対し曲り形状をなす曲り部とを有し、本体ボデーに対し直管部の軸心を中心に回転可能に連結されている請求項１に記載の浴槽用通水装置である。
本発明にあっては、本体ボデーから裏側へ延び出した配管用接続部を管軸方向の途中箇所で曲り形状（例えば３０〜４５°）としたので、配管用接続部を回転させて両先端部を接近させることにより、浴槽の取付孔への挿通作業を容易にできる。また両先端部を離反させることにより両先端部に対する延長配管の接続作業を容易にすることができる。さらに、延長用配管が浴槽の側壁部に沿って横方向へ延びている場合にも、また浴槽側壁部に向って後方から延びて来ている場合の何れに対しても、延長用配管を大きく曲げ変形させることなく対応すること、即ち各延長用配管を配管用接続部に対し接続することが可能となり、浴槽側壁部と躯体外壁等との間の狭い空間内においても容易に配管用接続部に対し延長用配管を接続作業することができる。
【００１８】
配管用接続部の浴槽の取付孔への挿通作業を容易にするため、及び、延長用配管のいろいろな延設方向に対処できるようにするために請求項３記載の本発明が採用した手段は、前記配管用接続部は、フランジ部と真っ直ぐな管部とからなり、フランジ部と管部とがそれぞれの中心線を適宜角度で交叉させるように接合されて両者の接合部で曲り形状をなし、本体ボデーに対しフランジ部の軸心を中心に回転可能に連結されている請求項１に記載の浴槽用通水装置である。
本発明にあっては、本体ボデーから裏側へ延び出した配管用接続部のフランジ部と管部とがそれぞれの中心線を適宜角度で交叉（例えば２〜１０°）させるように接合されて曲り形状をなすので、配管用接続部を回転させて両先端部を接近させることにより、浴槽の取付孔への挿通作業を容易にできる。また両先端部を離反させることにより両先端部に対する延長配管の接続作業を容易にすることができる。さらに、延長用配管が浴槽の側壁部に沿って横方向へ延びている場合にも、また浴槽側壁部に向って後方から延びて来ている場合の何れに対しても、延長用配管を大きく曲げ変形させることなく対応すること、即ち各延長用配管を配管用接続部に対し接続することが可能となり、浴槽側壁部と躯体外壁等との間の狭い空間内においても容易に配管用接続部に対し延長用配管を接続作業することができる。
【００１９】
二本の接続すべき延長用配管の位置や方向の如何に拘わらず容易に対応することができるようにするために請求項４記載の本発明が採用した手段は、前記本体ボデーは前記通水口として吐出口及び吸引口を備え、吐出口に連通する配管用接続部及び吸引口に連通する配管用接続部とが設けられ、各配管用接続部の何れも回転可能である請求項１〜３の何れかに記載の浴槽用通水装置である。
本発明にあっては、吸引口及び吐出口の何れも備えた浴水追だき用の通水装置に好適に適用することができる。
【００２０】
本体ボデーに対する配管用接続部の連結が容易となるようするため請求項５記載の本発明が採用した手段は、前記配管用接続部は、前記本体ボデーの嵌合孔にＯリングを介して回転可能に嵌合していると共に、前記本体ボデーへ着脱自在に取着した抜止具で抜け止めされる請求項１〜４の何れかに記載の浴槽用通水装置である。
本発明にあっては、配管用接続部が、Ｏリングを介して本体ボデーの嵌合孔に嵌合して水密性を確保した上、抜止具によって抜止め、即ち本体ボデーに回転可能に連結することができる。このようにすることで配管用接続部を本体ボデーに対し簡単に回転可能な状態で連結することができる。なお、配管用接続部を抜止めするための抜止具として止め輪を好適に用いることができる。配管用接続部に延長用配管をろう付けする場合には、本体ボデーから配管用接続部を取り外しておくことにより、ろう付け時の熱を本体ボデーに伝達させることがないため、熱可塑性の合成樹脂素材から本体ボデーが成形されているときに、好都合である。
【００２１】
浴槽に本体ボデーを取付け固定した後であっても、浴槽の外側から配管用接続部の着脱ができるようにするため、前記抜止具が前記本体ボデーの裏側で着脱できるようにしてもよい。抜止具の着脱は、本体ボデーの裏側に対して、抜止具のビス孔へ挿通したビスを螺着又は螺脱することで行うことができる。
【００２２】
抜止具の着脱作業が容易にできるようにするために、前記抜止具を、前記配管用接続部に回転可能で脱落しないように嵌着してもよい。
かかる構成により、抜止具と配管用接続部とが分離することなく一体化しているため、抜止具を脱落させることなく着脱作業が容易にできるようになる。
【００２３】
配管用接続部に対して延長用配管をねじ接合するときの接合作業が容易となるようにするため、前記配管用接続部の突設する先端に、接合用雄ねじと、該雄ねじより小径の多角形からなる工具引掛部とが、雄ねじが先側となるように併設してもよい。
かかる構成によれば、工具引掛部が雄ねじより小径であるため、雄ねじを傷付けることなく工具引掛部に工具を引っ掛けることが可能となる。
【００２５】
吐水するための浴水と吸引した浴水とが本体ボデーの内部で混合しないようにするため、表側に吐出口と吸引口とを開口した本体ボデーと、該吐出口又は吸引口に連通して本体ボデーの裏側へ突設する吐水用及び吸水用の配管用接続部とを備えた浴槽用通水装置において、前記本体ボデーにおける樹脂製で一体成形された部分に、吐出口に通じる吐出通路と吸引口に通じる吸引通路とを分離形成してもよい。
かかる構成によれば、本体ボデーの内部に形成された吐出通路と吸引通路とが完全に分離形成されるため、両水路を流れる浴水が両水路間でリークしない。
【００２８】
【発明の実施の形態】
以下、本発明に係る浴槽用通水装置及びその施工方法を図面に示す実施の形態に基づいて説明する。
【００２９】
（第１の実施の形態）
図１乃至図５は、本発明に係る浴槽用通水装置の第１の実施の形態を示すものである。図１は浴槽に通水装置を取付け固定した状態を示すものであって、（Ａ）は断面した側面図、（Ｂ）は断面した底面図である。図２は通水装置を浴槽へ取付ける前の状態を示す断面した底面図である。図３は浴槽に通水装置を取付けた状態を示すものであって、（Ａ）は部分断面した正面図、（Ｂ）は背面図である。図４は通水装置を各部材に分解して示す断面した側面図である。図５は通水装置を各部材に分解して示す斜視図である。
【００３０】
本実施形態の浴槽用通水装置は、吸引口及び吐出口の何れも備えた浴水追だき用であって、該吸引口及び吐出口に連通する状態で一対の配管用接続部が連結されており、且つそれら一対の配管用接続部の何れもが回転可能とされている。図１及び図２において、１０は浴槽の側壁部で、１２は取付孔である。１４は浴槽用通水装置における本体ボデーで、この本体ボデー１４はベース部材１６とカバー部材１８とを組み付けて成っており、それらの間に図３に示しているようにハの字状をなす吸引通路（浴水を浴槽内側から浴槽外側へ取り出すための取出通路となる）１９と吐出通路２０及びそれらの先端で開口する吸引口２２と吐出口２４とを有している。
【００３１】
２６は狭持部材であって、図３（Ｂ）及び図５に示しているように両端の幅広部２８とそれらの間の細幅部３０とを有している。この狭持部材２６には雌ねじ孔３２が形成されており、そこに止付け用ボルト３３が螺合されている。
【００３２】
止付け用ボルト３３は、図１に示しているように頭部がカバー部材１８における凹陥部３４内部に収容されている。本体ボデー１４は、この止付け用ボルト３３を狭持部材２６の雌ねじ孔３２内部に浴槽内面側からねじ込むことで浴槽の側壁部１０に取付け固定されている。具体的には、浴槽内面側から止付け用ボルト３３を狭持部材２６の雌ねじ孔３２に螺合し且つこれを強くねじ込むことによって、狭持部材２６とともに側壁部１０を内外両側からパッキン３６を介し挟み付ける状態に本体ボデー１４が側壁部１０に取付け固定されている。
【００３３】
３８は管状をなす吐出側の配管用接続部、４０は管状をなす吸引側の配管用接続部であって、それぞれ後方向きに真直ぐ延出する直管部４２と曲り部４４とを有している。ここで曲り部４４は、直管部４２に対し３０〜４５°の角度の曲り形状をなしている。これら一対の配管用接続部３８，４０のそれぞれは、図４に示しているように直管部４２に大径のフランジ部４６を備えている。フランジ部４６は、外周面の幅方向中間部に、環状のＯリング溝が形成されていてそこにシール用のＯリング４８が嵌合装着されている。またフランジ部４６よりも前部側には環状の溝５０が形成されている。
【００３４】
一方上記本体ボデー１４におけるベース部材１６には、各配管用接続部３８，４０に対応する一対の嵌合孔５２が形成されており、そこに配管用接続部３８，４０におけるフランジ部４６がＯリング４８を介し水密に嵌合されている。ベース部材１６には、これら嵌合孔５２に続いてそれよりも小径の挿通孔５４が形成されており、各配管用接続部３８，４０における前端部がそれら挿通孔５４を挿通して本体ボデー１４内部に突き出している（図１，図２参照）。そしてその突き出した端部、詳しくは上記環状の溝５０に抜止具としての止め輪５６が弾性的に嵌め込まれており、それら止め輪５６とフランジ部４６とによって、各配管用接続部３８，４０がベース部材１６に回転可能に連結されている。
【００３５】
なお上記一対の挿通孔５４は、図３に示しているように吸引通路１９，吐出通路２０のそれぞれに連通する位置に設けられている。即ち、本実施形態の浴槽用通水装置の場合、浴槽内の浴水が吸引口２２，吸引通路１９を通じて取り出される。取り出された浴水は配管用接続部４０内部を流通した後、これに接続された配管（図示省略）内部を流通して外部循環させられる。外部循環して戻った浴水は外部の配管から今度は配管用接続部３８の側に流入し、続いて吐出通路２０を経て吐出口２４から浴槽内部に吐出される。
【００３６】
本実施形態の浴槽用通水装置の場合、配管用接続部３８、４０に対して接続される延長用配管の位置や向きの如何に拘わらず配管用接続部３８，４０の回転により容易にこれに対応することができる。
【００３７】
また本実施形態においては、本体ボデー１４から後方向きに延び出した配管用接続部３８，４０を管軸方向の途中箇所で３０〜４５°の曲り形状となしていることから、延長用配管が浴槽の側壁部１０に沿って横方向から延びている場合にも、また浴槽側壁部１０に向って後方から延びて来ている場合の何れに対しても、延長用配管を大きく曲げ変形させることなく対応でき、浴槽側壁部１０と外壁等との間の狭い空間内においても容易に配管用接続部３８，４０に対し延長用配管を接続作業することができる。
【００３８】
以上、本発明の実施の形態を詳述したがこれはあくまで一例である。例えば上例では止め輪５６によって一対の配管用接続部３８，４０のそれぞれを本体ボデーから抜止めするようにしているが、他の手段によって、例えば本体ボデーに対して裏面側からねじ込んだビスの頭部を配管用接続部３８，４０におけるフランジ部４６の裏面に当てることによって抜止めしたり、或いはその他の手段にて抜止めすることも可能であるし、また場合によって曲り部４４を直管部４２に対し上記以外の角度、例えば９０°の角度で曲げておくといったことも可能である。
【００３９】
（第２の実施の形態）
図６乃至図１４は、本発明の第２の実施の形態を示すものである。図６は浴槽用通水装置を浴槽の側壁部に取付け固定した状態を示す側面図である。図７は同取付け固定した状態を浴槽内側から見た正面図である。図８は同取付け固定した状態を浴槽外側から見た背面図である。図９は取付け途中の状態を示す側面図である。図１０は本体ボデーに一対の配管用接続部を連結した状態を示すものであって、拡大且つ断面した底面図である。図１１は本体ボデーに一対の配管用接続部を連結した状態の別態様を拡大して示すものであって、（Ａ）は断面した底面図、（Ｂ）は部分切欠きした背面図である。図１２は本体ボデーに一対の配管用接続部を連結した状態の更に別態様を拡大して示すものであって、（Ａ）は部分切欠きした背面図、（Ｂ）は配管用接続部のフランジ部に抜止具を嵌着した状態を示す断面図、（Ｃ）は抜止具を示す正面図である。図１３は別態様の配管用接続部を示すものであって、拡大且つ断面した側面図である。図１４は更に別態様の配管用接続部を連結した状態を示すものてあって、（Ａ）は側面図、（Ｂ）及び（Ｃ）は一対の配管用接続部の異なる回転姿勢を示す背面図である。
【００４０】
本実施形態の浴槽用通水装置は、図６及び図１０に示すように、浴槽の側壁部１０に穿設した取付孔１２（例えば、直径が５０ｍｍ程度）に浴槽内側Ａから取付け施工できるものであり、浴槽内側Ａに配置される本体ボデー６１と、本体ボデー６１の裏側の環状の座部７１へ当接する環状のシール部材７２と、浴槽外側Ｂに配置される挟持部材７３と、本体ボデー６１及び挟持部材７３を連結して挟持部材７３を止め付けるための止付け用ボルト７４と、本体ボデー６１の背面側から突設した配管用接続部６２，６３とを備え、止付け用ボルト７４を緊締するための操作が浴槽内側Ａからできるようになっている。挟持部材７３は、本体ボデー６１に止付け用ボルト７４で連結された状態で浴槽内側Ａから取付孔１２を潜り抜けること及び浴槽外側Ｂで係止することが可能になっている。
【００４１】
前記本体ボデー６１は、ベース部材６９とカバー部材７０とを連結したものであり、図７に示すように、カバー部材７０に、吸引通路６７と吐出通路６８及びそれらの先端で開口する吸引口６５と吐出口６６とを有している。カバー部材７０は、図１０に示すように、熱可塑性の合成樹脂素材等で一体成形され、吸引通路６７と吐出通路６８とを分離形成し、両通路６７，６８との間で浴水がリークしないようにしてある。ベース部材６９は、吸引通路６７と吐出通路６８に連通する一対の配管用接続部６２，６３が着脱可能且つ回転可能に連結されており、連結した配管用接続部６２，６３の脱落を阻止するための抜止具６４が本体ボデー６１の裏側で着脱できるようにしてある。
【００４２】
前記狭持部材７３は、図６及び図８に示すように、両端の幅広部７３ａ，７３ａとそれらの間の細幅部７３ｂとを有している。この狭持部材７３には、雌ネジ孔７３ｃが形成されており、そこに止付け用ボルト７４が螺合されている。狭持部材７３は、取付孔１２の潜り抜けが容易にできるように、弓状に湾曲形成されている。
【００４３】
前記止付け用ボルト７４は、頭部７４ａがカバー部材７０における凹陥部７０ａ内部に収容されている。本体ボデー６１は、この止付け用ボルト７４を狭持部材７３の雌ネジ孔７３ｃに浴槽内側Ａからネジ込むことで浴槽の側壁部１０に取付け固定されている。具体的には、浴槽内側Ａから止付け用ボルト７４を狭持部材７３の雌ネジ孔７３ｃに螺合し且つこれを強くネジ込むことによって、狭持部材７３とともに側壁部１０を内外両側からシール部材７２（図１０参照）を介し挟み付ける状態に本体ボデー６１が側壁部１０に取付け固定される。
【００４４】
前記止付け用ボルト７４は、図６に示すように、シールリング８８を予め外嵌してあり、頭部７４ａとカバー部材７０の凹陥部７０ａ（図７参照）との間にシール部を形成できるようにしてある。ボルト７４は、本体ボデー６１の表側で頭部７４ａを水密状態に係止できるように本体ボデー６１の表側から環状の座部７１（図１０参照）の内側へ貫通させるようになっている。ボルト７４が挿通する本体ボデー６１に形成されている挿通孔は、図９に示すように、挿通したボルト５２が挟持部材７３の長手方向へ大きく揺動して傾斜できるように、大径に開設してある。
【００４５】
前記配管用接続部６２，６３は、図１０に示すように、フランジ部７５と真っ直ぐな管部７６とからなり、フランジ部７５及び管部７６が両中心線を適宜角度（例えば、２〜１０°）で交叉させるようにして接合され、両者の接合部で曲り形状をなしている。各フランジ部７５は、外周面の幅方向中間部に、環状のＯリング溝７５ａが形成されていてそこにシール用のＯリング７７が嵌合装着されている。これら配管用接続部６２，６３は、回転させて両先端部を接近させることにより浴槽の取付孔１２への挿通作業を容易にし、両先端部を離反させることにより両先端部に対する延長配管の接続作業を容易にすることができる。なお、配管用接続部６２，６３は、真っ直ぐな管部７６の長さが４００ｍｍ以上になることがある。この場合には、本体ボデー６１の裏面から突出する前記止付け用ボルト７４の長さも、管部７６の長と同寸法または近似する寸法とすることがある。
【００４６】
前記本体ボデー６１におけるベース部材６９には、各配管用接続部６２，６３に対応する一対の嵌合孔７８が形成されており、そこに配管用接続部６２，６３におけるフランジ部７５がＯリング７７を介し水密に嵌合されている。ベース部材６９には、これら嵌合孔７８に続いてそれよりも小径の連通孔７９が形成されており、カバー部材７０の対応する吸引通路６７又は吐出通路６８に連通するようにしてある。ベース部材６９は、これら連通孔７９の外側に配置したＯリング８０を介して本体ボデー６１へ水密に接合されている。
【００４７】
前記本体ボデー６１は、図６及び図１０に示すように、その裏側で且つ環状の座部７１の内側に、浴槽の取付孔１２に嵌入できる突起部８７が設けられている。更に、本体ボデー６１は、突起部８７の裏側に、前記嵌合孔７８を穿設することで配管用接続部６２，６３を連結できるようにしてある。本体ボデー６１は、浴槽の取付孔１２に取付けられたときに、外力により位置ズレしようとしても、取付孔１２に突起部８７が当接するため、位置ズレすることなく安定よく固定できる。
【００４８】
前記本体ボデー６１に連結した各配管用接続部６２，６３の脱落を阻止するための抜止具６４は、図１０に示すように、本体ボデー６１のベース部材６９の裏側に螺着したボルト又はビスからなり、各配管用接続部６２，６３のフランジ部７５，７５に頭部を係止させることにより、ベース部材６９に各配管用接続部６２，６３を回転可能に連結させている。
【００４９】
前記各配管用接続部６２，６３の脱落を阻止するための別態様としては、図１１及び図１２に示すものがある。図１１に示す脱落阻止構造は、各配管用接続部６２，６３における各フランジ部７５の外周面に環状の係止凹溝７５ｂが形成され、それら係止凹溝７５ｂに嵌入した板状の抜止具８１をベース部材６９にビス止め固定８２させることにより、ベース部材６９に各配管用接続部６２，６３を回転可能に連結させている。図１２に示す脱落阻止構造は、各配管用接続部６２，６３における各係止凹溝７５ｂに、回転自在に無理バメした板状の抜止具８３をベース部材６９にビス止め固定８２させることにより、ベース部材６９に各配管用接続部６２，６３を回転可能に連結させている。この脱落阻止構造は、抜止具８３と配管用接続部６２（又は６３）とが分離することなく一体化するため、抜止具８３を紛失させることなく抜止具８３の着脱作業が容易にできるようになる。図１１及び図１２に示す脱落阻止構造は、フランジ部７５と管部７６との接合段部に肉盛りされたろう付け部があるため、図１０に示す抜止具で確実に係止できないときに、有効である。
【００５０】
前記抜止具６４（８１，８３）は、浴槽の取付孔１２に挿入するベース部材６９の突出部６９の裏面側に着脱自在に連結されるため、浴槽に本体ボデー６１を取付け固定する前は勿論のこと、取付け固定した後であっても、浴槽の外側Ｂから配管用接続部６２，６３の着脱ができるようになり、施工性の向上が図れるようになる。
【００５１】
前記配管用接続部６２，６３を曲り形状にする別態様としては、図１３及び図１４に示すものがある。図１３に示す曲り形状は、フランジ部７５と真っ直ぐな管部７６とを偏心させて接合してある。図１４に示す曲り形成は、フランジ部７５に接合した管部８４の管軸方向の途中箇所８４ａ，８４ｂで曲り形状をなしており、配管用接続部６２，６３を左右対称の形状としてある。この場合には、二本の配管用接続部６２，６３が左右対称の形状となっているため、配管用接続部６２，６３の先端部に接合する延長用配管（図示略）の延設状態に応じて二本の配管用接続部６２，６３を回転させても、二本の配管用接続部６２，６３の先端部が管軸方向に段違いとなり、延長用配管の接合作業を容易にできる。
【００５２】
前記配管用接続部６２，６３の先端部は、延長用配管の仕様により変更される。例えば、図６に示す竹の子形状にして、延長用配管であるホースを直接接合できるようにする場合と、図１４に示す雄ネジ形状にして、延長用配管を袋ナットで接合できるようにする場合と、更に図示は省略したが、切り落とし形状又はソケット形状にして、延長用配管をろう付けで接合できるようにする場合とがある。
【００５３】
前記配管用接続部６２，６３に延長用配管をネジ接合する仕様のときには、図１４に示すように、配管用接続部６２，６３の突設する先端に、接合用雄ネジ８５と、雄ネジ８５より小径の多角形からなる工具引掛部８６とが、雄ネジ８５が先側となるように併設することがある。この場合には、工具引掛部８６が雄ネジ８５より小径であるため、雄ネジ８５を傷付けることなく工具引掛部８６にレンチ等の工具（図示略）を引っ掛けることが可能となる。
【００５４】
本実施形態の浴槽用通水装置を施工するための施工方法の手順は、次の如く行われる。第１工程は、図９に示すように、浴槽の側壁部１０の所定位置に取付孔１２をホルソー等で開設することである。既に取付孔１２が有るときには、本工程を省略する。第２工程は、挟持部材７３をボルト７４の先端寄りへ移動させ、挟持部材７３が潜り込みが可能な姿勢が容易に採れるように準備することである。第３工程は、浴槽内側Ａから取付孔１２へ配管用接続部６２，６３を挿通して浴槽外側Ｂへ導くと共に、潜り姿勢に傾斜させた挟持部材７３を浴槽の取付孔１２へ挿通するようにして潜らせることである。
【００５５】
最終工程は、浴槽内側Ａで止付け用ボルト７４を強制的にねじ回すことにより、挟持部材７３を浴槽側に引き寄せて、浴槽の外側面に挟持部材７３の両端の幅広部７３ａ，７３ａを、図６に示すように圧接させる。このとき、本体ボデー６１を浴槽内側Ａへ引き寄せて、浴槽の外側面に挟持部材７３の幅広部７３ａ，７３ａを予め当接させ、この状態でボルト７４を強制的にねじ回すことも可能である。そして更に、ボルト７４を緊締することにより、浴槽の取付孔１２の周縁部を本体ボデー６１と挟持部材７３とで挟持して固定する。このとき、浴槽の取付孔１２の周縁部と本体ボデー６１との間には挟着されたシール部材７２でシール部が形成されると共に、ボルト７４の頭部７４ａとカバー部材７０の凹陥部７０ａとの間に挟圧されたシールリング８８でシール部が形成されることにより、浴槽の取付孔１２からの漏水を防止できるようになる。このように、本実施形態の浴槽用通水装置の施工は、一人の作業者が浴槽内側Ａから容易に施工を行うことができ、施工時間を短縮できるものである。
【００５６】
取付け固定された本実施形態の浴槽用通水装置は、図７に示すように、浴槽内の浴水が吸引口６５，吸引通路６７を通じて取り出される。取り出された浴水は配管用接続部６２内部を流通した後、これに接続された延長用配管（図示省略）内部を流通して外部循環させられる。外部循環して戻った浴水は外部の延長用配管から今度は配管用接続部６３の側に流入し、続いて吐出通路６８を経て吐出口６６から浴槽内部に吐出される。
【００５７】
本実施形態の浴槽用通水装置の場合には、配管用接続部６２，６３に対して接続される延長用配管の位置や向きの如何に拘わらず配管用接続部６２，６３の回転により容易にこれに対応することができる。更に、本実施形態の場合には、本体ボデー６１の裏側へ管状の配管用接続部６２，６３を突設したものであるため、浴槽の内面と本体ボデー６１との間をシール部材７２でシールするだけて漏水を阻止でき、浴槽の裏面が凹凸面である場合にも対応できる。
【００５８】
また本実施形態においては、本体ボデー６１から後方向きに延び出した配管用接続部６２，６３を曲り形状となしていることから、延長用配管が浴槽の側壁部１０に沿って横方向から延びている場合にも、また浴槽側壁部１０に向って後方から延びて来ている場合の何れに対しても、延長用配管を大きく曲げ変形させることなく対応でき、浴槽側壁部１０と外壁等との間の狭い空間内においても容易に配管用接続部６２，６３に対し延長用配管を接続作業することができる。
【００７２】
本発明は浴水の吸引口のみを有する或いは吐出口のみを有する浴槽用通水装置に適用することも可能であるし、或いはまた浴槽の追だき以外の目的、例えばジエット噴射浴槽における浴水の吸引口装置或いは噴射口装置（吐出口装置）に対して適用することも可能であるなど、本発明はその主旨を逸脱しない範囲において種々の変更を加えた形態で構成可能である。
【００７３】
【発明の効果】
請求項１記載の本発明は、浴槽用通水装置の施工を、一人の作業者で浴槽内側から容易に行うことができ、施工時間を短縮できるものである。配管用接続部に接続される延長用配管の位置や向きの如何に拘わらず、配管用接続部の回転により容易にこれに対応することができるため、施工性の向上が図れる。更に、本発明にあっては、浴槽の内面と本体ボデーとの間でシールするだけて漏水を阻止でき、浴槽の裏面が凹凸面である場合にも対応できる。
【００７４】
請求項２又は請求項３記載の本発明は、配管用接続部を曲り形状となしておくことにより、配管用接続部に接続される延長用配管のいろいろな延設方向に対処できるため、施工性の向上が図れる。
請求項４記載の本発明は、二本の配管用接続部に接続される二本の延長用配管の位置や向きの如何に拘わらず、二本の配管用接続部の回転により容易にこれに対応することができるため、施工性の向上が図れる。更に、吸引口及び吐出口の何れも備えた浴水追だき用の通水装置にも好適に適用することができる。
【００７５】
請求項５記載の本発明は、本体ボデーに対し配管用接続部を簡単に回転可能な状態で連結することができるため、本体ボデーに対する配管用接続部の連結が容易となり、施工性の向上が図れる。
【図面の簡単な説明】
【図１】本発明の第１の実施形態において浴槽に通水装置を取付け固定した状態を示すものであって、（Ａ）は断面した側面図、（Ｂ）は断面した底面図である。
【図２】同実施の形態において、通水装置を浴槽へ取付ける前の状態を示す断面した底面図である。
【図３】同実施の形態において、浴槽に通水装置を取付けた状態を示すものであって、（Ａ）は部分断面した正面図、（Ｂ）は背面図である。
【図４】同実施の形態において、通水装置を各部材に分解して示す断面した側面図である。
【図５】同実施の形態において、通水装置を各部材に分解して示す斜視図である。
【図６】本発明の第２の実施の形態を示すものであって、浴槽用通水装置を浴槽の側壁部に取付け固定した状態を示す側面図である。
【図７】同取付け固定した状態を浴槽内側から見た正面図である。
【図８】同取付け固定した状態を浴槽外側から見た背面図である。
【図９】同実施の形態における浴槽用通水装置の取付け途中の状態を示す側面図である。
【図１０】同実施の形態において、本体ボデーに一対の配管用接続部を連結した状態を拡大断面して示すものであって、挟持部材を省略した底面図である。
【図１１】同実施の形態において、本体ボデーに一対の配管用接続部を連結した状態の別態様を拡大断面し且つ挟持部材を省略したものであって、（Ａ）は断面した底面図、（Ｂ）は環状突起部の部分の部分切欠きした背面図である。
【図１２】同実施の形態において、本体ボデーに一対の配管用接続部を連結した状態の更に別態様を拡大して示すものであって、（Ａ）は挟持部材を省略した状態の環状突起部の部分の背面図、（Ｂ）は配管用接続部のフランジ部に抜止具を嵌着した状態を示す断面図、（Ｃ）は抜止具を示す正面図である。
【図１３】同実施の形態において、別態様の配管用接続部を示すものであって、拡大断面した底面図である。
【図１４】同実施の形態において、更に別態様の配管用接続部を連結した状態を示すものてあって、（Ａ）は側面図、（Ｂ）及び（Ｃ）は一対の配管用接続部の異なる回転姿勢を示すもので挟持部材を省略した背面図である。
【図１５】従来の浴槽用通水装置を各部材に分解して示す斜視図である。
【図１６】従来の浴槽用通水装置の取付け固定状態を示す断面図である。
【図１７】従来の施工方法を示すものであって、（Ａ）は躯体の外側から浴槽の取付孔に治具の掛け部を引っ掛ける状態を示すものであり、（Ｂ）は浴槽内側で浴槽用通水装置のリヤボデーにフロントボデーの第二部材を螺着させる直前の状態を示すものである。
【符号の説明】
１０…側壁部、１２…取付孔、１４…本体ボデー、２２…吸引口、２４…吐出口、３８，４０…配管用接続部、４４…曲り部、４８…Ｏリング，５０…溝、５２…嵌合孔、５６…抜止具、１０７，１０８…可撓管
【図１】
0004129709.tif 000002
【図２】
0004129709.tif 000003
【図３】
0004129709.tif 000004
【図４】
0004129709.tif 000005
【図５】
0004129709.tif 000006
【図６】
0004129709.tif 000007
【図７】
0004129709.tif 000008
【図８】
0004129709.tif 000009
【図９】
0004129709.tif 000010
【図１０】
0004129709.tif 000011
【図１１】
0004129709.tif 000012
【図１２】
0004129709.tif 000013
【図１３】
0004129709.tif 000014
【図１４】
0004129709.tif 000015
【図１５】
0004129709.tif 000016
【図１６】
0004129709.tif 000017
【図１７】
0004129709.tif 000018